(57)【要約】【課題】脈拍検出機能を備え、音楽を聴くだけのときには、従来のヘッドフォンと同様の機能及び装着感を損なわないヘッドフォンを提供する。【解決手段】ヘッドフォンの基本構造は、バーチカル・イン・ザ・イヤー・タイプである。脈拍検出器３は、脈拍センサを内蔵し、左のハウジング２側に結合されているバンド根元部１ａとの間を、検出器コード４により接続されている。図２（ａ）に示すように脈拍検出をしないとき、バンド根元部１ａの左右側面を、脈拍検出器３の挟圧保持対象となる取付部とする。延在部２ｂの先端は頭部前方に曲面をなして直角に曲がり脈拍検出器当接部２ｃとなり、ここに、主クリップ片３ａの先端部が当接する。脈拍検出をする際には、主クリップ片３ａと副クリップ片３ｂの先端で耳たぶを挟む。【選択図】図２
2008161429.tif 000002
【特許請求の範囲】
【請求項１】
電気音響変換ユニットを内蔵する左右のハウジングと、
該左右のハウジングを連結するバンドと、
脈拍センサを内蔵し、一対のクリップ片を備え、該一対のクリップ片により耳たぶを挟圧することにより脈拍を検出する脈拍検出器と、
前記左右のハウジングの一方又は該一方のハウジング側における前記バンドの根元部と、前記脈拍検出器とを接続するケーブルを有し、
前記一方のハウジング又は該一方のハウジング側における前記バンドの根元部に、前記脈拍検出器のクリップ片が前記耳たぶを挟圧していないときに前記クリップ片の挟圧保持対象となる取付部を有する、
ことを特徴とする脈拍検出機能を備えたヘッドフォン。
【請求項２】
前記左右のハウジングは、複数の放音孔が設けられた音響放射面を有し、
前記左右のハウジングの音響放射面は、略同一平面上に配置されており、
前記一方のハウジング側における前記バンドの根元部は、当該一方のハウジングの音響放射面側に対し、垂直となる角度を０度として左右に±３０度以内の角度で結合されたものであり、
前記一方のハウジング側における前記バンドの根元部の左右側面を前記取付部とする、
ことを特徴とする請求項１に記載の脈拍検出機能を備えたヘッドフォン。
【請求項３】
前記脈拍検出器が前記取付部に取り付けられるとき、前記一方のハウジングの音響放射面側が、前記クリップ片の先端部に当接する、
ことを特徴とする請求項２に記載の脈拍検出機能を備えたヘッドフォン。
【請求項４】
前記一方のハウジング側における前記バンドの根元部の左右側面を略平行面とする、
ことを特徴とする請求項２に記載の脈拍検出機能を備えたヘッドフォン。
【発明の詳細な説明】
【技術分野】
【０００１】
本発明は、脈拍を検出できる機能を備えたヘッドフォンに関するものである。
【背景技術】
【０００２】
運動の強度を管理するために、運動をしながら脈拍（心拍）をリアルタイムで測定することがある。
例えば、耳たぶ（耳朶、耳垂）に装着されて、耳たぶにおける血流の透過光又は反射光を利用して脈拍数を測定する脈拍センサが知られている（特許文献１参照）。
しかし、この脈拍センサは、据付型の自転車エルゴメータにコードで接続されたものであるから、ランニングやウオーキングのように自由に動き回る運動には使用できない。
【０００３】
また、メガネ型や耳かけ型のフレームに取り付けられる脈拍センサがあり、この脈拍センサは、頭部動脈の血流変化を超音波のドップラー信号で検出する（特許文献２参照）。
この脈拍センサは、回路ボックスを介し、手首や衣服に付ける表示部にコードで接続されている。イヤフォンコードが回路ボックスに着脱可能となっており、ドップラー音を聞くことができる。
この脈拍センサは、自由に動き回る運動に使用できるが、ヘッドフォンで高音質の音楽を聴きながら運動するような場合には、メガネ型や耳かけ型のフレームが邪魔になるために使用しづらい。
【０００４】
また、ヘッドフォンの下端部に「ニッパー型」に具現され、耳たぶ接触時に開閉動作が可能な、透過型光センサを用いた脈拍センサが知られている（特許文献３参照）。
この脈拍センサは、ヘッドフォンのパッド部分に受光部を備え、この受光部に耳たぶを介して対向するように光源部がアームに取り付けられている。
ヘッドフォンが内蔵するスピーカ及び脈拍センサは、無線により、「バイオ情報フィードバックモジュール」に接続される。この「バイオ情報フィードバックモジュール」は、移動型の携帯通信機器（携帯電話）、ＰＤＡ、腕時計型の情報端末機などである。
【０００５】
この脈拍センサは、高品質の音楽を聴きながら脈拍数を測定するのに適している。
しかし、イヤーパッドを備えているヘッドフォンであるために、重量があり、耳介への圧迫感もある。また、音楽を聴くだけの場合でも、光源部を耳たぶに当接させておかなければならないため、装着感が良くない。
また、イヤーパッドがあると、周囲音を遮蔽しやすいので、一般道路でのランニング等には適さないという問題もある。
【特許文献１】特開平８−６６３７８号
【特許文献２】特開２００３−４７６００号
【特許文献３】特開２００５−８７７３１号
【発明の開示】
【発明が解決しようとする課題】
【０００６】
本発明は、上述した問題点を解決するためになされたもので、脈拍を検出できるという利便性を備えるとともに、音楽を聴くだけのときには、従来のヘッドフォンと同様の機能及び装着感を損なわないヘッドフォンを提供することを目的とするものである。
【課題を解決するための手段】
【０００７】
本発明は、請求項１に記載の発明においては、脈拍検出機能を備えたヘッドフォンにおいて、電気音響変換ユニットを内蔵する左右のハウジングと、該左右のハウジングを連結するバンドと、脈拍センサを内蔵し、一対のクリップ片を備え、該一対のクリップ片により耳たぶを挟圧することにより脈拍を検出する脈拍検出器と、前記左右のハウジングの一方又は該一方のハウジング側における前記バンドの根元部と、前記脈拍検出器とを接続するケーブルを有し、前記一方のハウジング又は該一方のハウジング側における前記バンドの根元部に、前記脈拍検出器のクリップ片が前記耳たぶを挟圧していないときに前記クリップ片の挟圧対象となる取付部を有するものである。
従って、脈拍検出をしないで音楽を聴くときには、耳たぶから脈拍検出器を取り外すことができる。その結果、脈拍検出器のクリップ片が耳たぶに食い込んだり、脈拍検出器が頬に触れて気になるようなことがなくなる。
脈拍検出器を取り外しても、コードでヘッドフォン本体側に接続されているから、脈拍検出器を紛失することはない。この脈拍検出器を少し移動させるだけで、ヘッドフォン本体側の取付部を挟むことができるから、脈拍検出器の取扱が容易となる。また、脈拍検出器を取り外したとき、脈拍検出器が運動中に揺れ動くような状態にはならない。
その結果、脈拍検出ができるという利便性を備えるとともに、単に音楽を聴くだけのときには、脈拍検出器を備えないヘッドフォンの機能及び装着感を損なわない。
【０００８】
請求項２に記載の発明においては、請求項１に記載の脈拍検出機能を備えたヘッドフォンにおいて、前記左右のハウジングは、複数の放音孔が設けられた音響放射面を有し、前記左右のハウジングの音響放射面は、略同一平面上に配置されており、前記一方のハウジング側における前記バンドの根元部は、当該一方のハウジングの音響放射面側に対し、垂直となる角度を０度として左右に±３０度以内の角度で結合されたものであり、前記一方のハウジング側における前記バンドの根元部の左右側面を前記取付部とするものである。
左右のハウジングの音響放射面は、略同一平面上に配置されていることから、ヘッドフォンとしては、バーチカル・イン・ザ・イヤー・タイプとなる。イヤーパッドを有しないため、軽量であり耳への圧迫感が少なくなる。インナーイヤー（intra  concha）型であるため、周囲環境音が聞こえやすいから、一般道路を走るランニング等にも適している。
より具体的な構造をみると、一方のハウジング側におけるバンドの根元部は、当該一方のハウジングの音響放射面側に結合されたものであり、このバンドの根元部に脈拍検出器のクリップ片が取り付けられるため、脈拍検出器が耳輪に当たることがない。
さらに、このバンドの根元部は、ハウジングの音響放射面側に対し、垂直となる角度を０度として左右に±３０度以内の角度で結合されたものであるから、取付部に取り付けられた状態の脈拍検出器が、側頭面に沿って取り付けられるから、頬に当たったり風圧で揺れたりしにくい。
なお、前記左右のハウジングの上下幅と前記脈拍検出器の一対のクリップ片の横幅とを等しくすれば、取付部に取り付けられた脈拍検出器は、ハウジングと外形上一体化されることにより、風圧の影響を受けにくくなる。
【０００９】
請求項３に記載の発明においては、請求項２に記載の脈拍検出機能を備えたヘッドフォンにおいて、前記脈拍検出器が前記取付部に取り付けられるとき、前記一方のハウジングの音響放射面側が、前記クリップ片の先端部に当接するものである。
従って、脈拍検出器が位置決めされて保持されやすくなる。
【００１０】
請求項４に記載の発明においては、請求項２に記載の脈拍検出機能を備えたヘッドフォンにおいて、前記一方のハウジング側における前記バンドの根元部の左右側面を略平行面とするものである。
取付部が略平行面であることから、ユーザがクリップ片を摘んで、このクリップ片で取付部を挟んで挟圧保持させたり、このクリップ片を取付部から取り外したりする操作がやりやすくなっている。
【発明の効果】
【００１１】
本発明によれば、音楽を聴きながら運動をするときに、脈拍を検出するときにだけ、脈拍検出器で耳たぶを挟めばよいから、脈拍を検出できるという利便性を備えるとともに、音楽を聴くだけのときには、従来のヘッドフォンと同様の機能及び装着感を損なうことがないという作用効果を奏する。
特に、ヘッドフォンの基本構成を、装着感の良好なバーチカル・イン・ザ・イヤー・タイプとした場合に、不使用時の脈拍検出器の挟圧保持対象、及び、挟圧保持の位置決め部を形成しやすくなる。
【発明を実施するための最良の形態】
【００１２】
図１は、本発明の実施の一形態を示す説明図である。使用者の頭部に装着した状態を示している。
図１（ａ）は平面図であって、紙面上方向が頭部前方となる。
図１（ｂ）は後正面図（後頭から見た立面図）である。
図示の例では、ヘッドフォンの基本構造として、公知のバーチカル・イン・ザ・イヤー・タイプ（例えば、特開平５−３３６５８７号公報参照）を使用している。
頭部に掛け渡したバンドの弾力性を利用してハウジングが耳甲介腔内に挿入される。このタイプのヘッドフォンは、圧迫感が少なく、ヘッドフォンを耳に装着していても、周囲環境音が聞こえやすい。
【００１３】
図中、１はバンド（ネックバンド）、１ａはバンド根元部である。２はハウジング、２ａはそのスピーカユニット収容部、２ｂは延在部、２ｃは脈拍検出器当接部、２ｄは音響放射面である。３は脈拍検出器、３ａは主クリップ片、３ｂは副クリップ片、３ｃは軸である。４は検出器コード、５はヘッドフォンコード引出部、６はヘッドフォンコードである。
７はブッシュ（検出器コード引出口）であり、バンド根元部１ａの湾曲した上側面に設けられている。
８もブッシュであり、主クリップ片３ａの下側面、先端寄りに設けられている。検出器コード４は、ブッシュ８とブッシュ７との間に配設されている。
１１は使用者の大まかな頭部位置、１２，１３は使用者の大まかな左耳位置、右耳位置である。
【００１４】
図１（ａ）は脈拍検出器３の非使用状態を示し、図１（ｂ）は脈拍検出器３の使用状態を示す。
左耳位置１２及び右耳位置１３に、左右のハウジング２が対応する。各ハウジング２はバンド１により連結されている。
バンド根元部１ａは、ハウジング２の前面（音響放射面２ｄのある側）に対し垂直に結合されているが、引き続き、上方向にＵ字状に曲がってハウジング２の上を越え、頭部後方に伸びて、後頭部を後方に下降するように巡り、再び前方に上昇するように巡ると、反対側のハウジング２を越え、今度は下方向にＵ字状に曲がり、他方のハウジング２の前面に垂直に結合している。
【００１５】
図示の例では、後頭部に掛け渡されるネックバンド形式であるが、頭頂部に掛け渡されるヘッドバンド形式であってもよい。
各ハウジング２は、スピーカユニット収容部２ａと、ここから外方に矩形断面形状で延びている延在部２ｂと、延在部２ｂの先端が頭部前方に曲面をなして直角に曲がり脈拍検出器当接部２ｃとなる部分とで構成される。
【００１６】
左右のスピーカユニット収容部２ａにおいて、内蔵されているスピーカユニットの振動板で発生した音響波が放射される音響放射面２ｄは、略同一平面上に配置され、共に頭部前方を向くように配置されている。
その結果、図３を参照して後述するように、音響放射面２ｄは外耳道（位置１２ｂ）の入口に対向する。この音響放射面２ｄには複数の放音孔が設けられている。
【００１７】
脈拍検出器３は、脈拍センサを内蔵し、左右のハウジング２の一方、図示の例では左のハウジング２側に結合されているバンド根元部１ａとの間を、検出器コード４により接続されている。検出器コード４はバンド根元部１ａの傾斜した上側面に設けられたブッシュ７からバンド根元部１ａの内部に入る。
なお、脈拍検出器３から出た検出器コード４は、バンド根元部１ａではなく、左のハウジング２の、例えば延在部２ｂから内部に入るようにしてもよい。
【００１８】
この脈拍検出器３は、一対のクリップ片を備え、図１（ｂ）に示す使用状態において、この一対のクリップ片により左耳の耳たぶを挟圧することにより脈拍を検出するものである。
より具体的には、図３を参照して後述するように、主クリップ片３ａと副クリップ片３ｂとが軸３ｃを介して結合され、ねじりコイルばねにより、主クリップ片３ａと副クリップ片３ｂの先端開口部３ｄを閉じる方向に付勢する。
なお、図面上において、クリップ片を特定するために主と副とに区別するが、主と副とに機能上の差異は特にない。
【００１９】
図２は、脈拍検出器３を左のバンド根元部１ａに取り付けた状態、及び、取り外した状態を説明するための拡大斜視図であって、頭部左後方やや上方から見たものである。
図中、図１と同じ部分には同じ符号を付している。
図２（ａ）に示す、脈拍検出をしていない状態のとき、湾曲したバンド根元部１ａの左右側面を、脈拍検出器３の挟圧保持対象となる取付部としている。脈拍検出器３の主クリップ片３ａ及び副クリップ片３ｂの先端開口部３ｄ（図３（ｂ）参照）を開き、この取付部に頭部前方方向から挿入して挟圧することにより、脈拍検出器３がハウジング２に合体状態で挟圧保持される。
【００２０】
図示のバンド根元部１ａは、脈拍検出器当接部２ｃの内側に隣接し、ハウジング２の延在部２ｂの前面（音響放射面と同じ方向）から立設され、この前面と略垂直になるように結合されている。
バンド根元部１ａの左右側面を略平行面（図３（ａ）のＡ，Ｂ）となるように設計したので、主クリップ片３ａと副クリップ片３ｂの先端でバンド根元部１ａを挟んで挟圧保持させたり、バンド根元部１ａから取り外したりする操作がやりやすくなっている。
【００２１】
バンド根元部１ａを挟むことにより、脈拍検出器３がヘッドフォンの基本構造と一体化される。このとき、脈拍検出器当接部２ｃの頭部前方を向いている面に脈拍検出器３の主クリップ片３ａの先端部が当接することにより、脈拍検出器３が位置決めされる。
主クリップ片３ａ及び副クリップ片３ｂの横幅（図示の状態では上下幅）は、ハウジング２の上下幅と等しくなるように設計したので、ハウジング２と外形上一体化され、ランニング運動中に、脈拍検出器３の挟圧保持状態では風圧の影響を受けにくくなる。また、脈拍検出器３の外表面（主クリップ片３ａの外表面）とハウジング２とは、脈拍検出器当接部２ｃにおいて、段差がなく、連続している点でも風圧の影響を受けにくい。
【００２２】
次に、脈拍を検出する際には、図２（ｂ）に示すように、脈拍検出器３を左耳のバンド根元部１ａから取り外し、図１（ｂ）に示したように、主クリップ片３ａと副クリップ片３ｂの先端とで耳たぶ（左耳位置１２）を挟むようにし、従来の脈拍検出器と同様の原理で脈拍を検出する。
主クリップ片３ａと副クリップ片３ｂの先端で挟む対象を替えるため、検出器コード４は、容易に曲がることができるように弾力性を備えた可撓性（フレキシブル）のコードであることが望ましい。
検出器コード４は、図２（ａ）に示すように、１周分のループとなる長さにしておけば、コード長に無駄がなく、かつ、揺れにくい。
検出器コード４を長くすれば、主クリップ片３ａと副クリップ片３ｂで反対側の耳たぶ（右耳位置１３）を挟圧することにより、右耳の耳たぶで脈拍を検出することもできる。
【００２３】
再び、図１に戻って説明する。
脈拍検出器３に内蔵された脈拍センサの出力信号は、検出器コード４とバンド１の内部を通るコードを介してヘッドフォンコード引出部５に至り、ヘッドフォンコード６を介して図示しない外部機器（例えば、使用者の腕又は胴に装着される携帯ユニット）に供給される。
一方、外部機器からヘッドフォンコード６を介して供給された音楽信号は、ヘッドフォンコード引出部５からバンド１の内部を通るコードを介して左右のハウジング２に内蔵されたスピーカユニット６に供給され、放音される。ヘッドフォンコード６に代えて、ヘッドフォンと携帯ユニットとの間を無線で相互接続してもよい。
【００２４】
携帯ユニットは、脈拍センサ信号を処理して脈拍数を計数し、脈拍数を表示したり記憶したり、音楽データを記憶しこれを再生する等の機能を備えている。脈拍数に応じたテンポの曲を選曲したり、脈拍数により運動強度を管理し、適切な運動強度に応じたテンポの音楽曲を選択したりする。
【００２５】
図３は、図１に示したハウジング２及び脈拍検出器３の内部構成の概要を示す説明図である。図中、図１，図２と同様な部分には同じ符号を付している。
図３（ａ）は、ハウジング２の内部構成を、左耳位置１２の大まかな断面構造とともに示す説明図である。
１２ａは耳甲介腔、１２ｂは外耳道、１２ｃは耳珠、１２ｄは対珠の位置である。
【００２６】
スピーカユニット収容部２ａは、耳甲介腔（位置１２ａ）に収容されている。スピーカユニット収容部２ａの前面が音響放射面２ｄに相当し、複数の放音孔２ｅが設けられている。放音孔２ｄは、外耳道（位置１２ｄ）の入り口に対向するように、偏在して設けられている。
２１はスピーカユニットであり、例えば、ドーム型ダイナミックスピーカである。
【００２７】
図３（ｂ）に示す脈拍検出器３において、軸３ｃの周囲に挟圧用のねじりコイルバネ２２が設けられ、このねじりコイルバネ２２の両端は、主クリップ片３ａ及び副クリップ片３ｂの各後端内部に係止される。このねじりコイルバネ２２は、主クリップ片３ａ及び副クリップ片３ｂを、その先端開口部３ｄが閉じる方向に付勢する。付勢機構は図示のものに限られない。
血流の透過光を利用する脈拍センサであれば、主クリップ片３ａ及び副クリップ片３ｂの先端開口部３ｄの近傍に、相対向する発光素子２３、受光素子２４が収容されている。発光素子２３、受光素子２４の配置は逆でもよい。脈拍検出器３は、受光素子２４の信号を増幅するヘッドアンプ等が搭載された回路基板を内蔵してもよい。
【００２８】
図４は、図１〜図３に示したハウジング２及びバンド根元部１ａの形状を変更した具体例の説明図である。図４（ａ）では脈拍検出器２７を除いて図示し、図４（ｂ）では脈拍検出器２７のみを図示している。図１〜図３と同じ部分には同じ符号を付している。
図４（ａ）において、２５はバンド、２６はハウジング、２６ａはスピーカユニット収容部、２６ｂは延在部、２６ｃは脈拍検出器当接部、２６ｄは音響放射面である。
【００２９】
バンド２５は、図１〜図３に示したバンド１と略同様である。しかし、そのバンド根元部２５ａの、脈拍検出器２７が取り付けられる部分の左右側面（図示Ａ，Ｂ）の間隔は、前方に広がる形状をしている。図示の例では、左右側面のなす角を２０度としているが、左右側面が平行面（左右側面のなす角が０度）に近づくようにしてもよい。
【００３０】
図４（ｂ）に示す脈拍検出器２７において、２７ａは主クリップ片、２７ｂは副クリップ片、２７ｃは軸、２７ｄは先端開口部である。この図は、主クリップ片２７ａと副クリップ片２７ｂが、図４（ａ）に示したバンド根元部２５ａを挟圧している状態を示している。脈拍検出器２６の機能は、図１〜図３を参照して説明した脈拍検出器３と同じである。しかし、上述したバンド根元部２５ａに取り付け可能となるように形状を変更している。
上述したバンド根元部２５ａの左右側面のなす角に対応し、主クリップ片２７ａと副クリップ片２７ｂの取り付け角度（図示、Ｃ，Ｄのなす角度）が決まる。
【００３１】
バンド根元部２５ａとこれを挟圧する主クリップ片２７ａと副クリップ片２７ｂとが強固に係合するから、脈拍検出器３がバンド根元部２５ａから不用意に脱落しなくなる。
ハウジング２６は、図１〜図３を参照して説明したハウジング部２と略同様である。しかし、バンド根元部２５ａ及び脈拍検出器２７の形状に合うように設計されている。
図１に示した脈拍検出器３と同様に、主クリップ片２７ａ及び副クリップ片２７ｂの横幅は、ハウジング２６の上下幅と等しくなるように設計し、脈拍検出器２７の外表面（主クリップ片２７ａの外表面）とハウジング２６とは、脈拍検出器当接部２６ｃにおいて、段差がなく、連続している。
【００３２】
図５は、図１〜図３に示したハウジング２及びバンド根元部１ａの形状を変更した他の具体例の説明図である。図１〜図３と同じ部分には同じ符号を付している。
図５（ａ）において、３１はバンド、３１ａはバンド根元部、７はブッシュである。３２はハウジング、３２ａはそのスピーカユニット収容部、３２ｂは延在部、３２ｃは脈拍検出器当接部、３２ｄは音響放射面である。
この具体例では、バンド根元部３１ａが延在部３２ｂの前面（音響放射面３２ｄ側）に垂直な法線（０度とする）に対し左に＋３０度の角度で、前方にＵ字状に突き出ている。
脈拍検出器３は、バンド根元部３１ａ（取付部）を挟み込むことにより、ハウジング３２と一体化されて挟圧保持される。この脈拍検出器当接部３２ｃは、延在部３２ｂの前面から左に＋３０度で後退させた傾斜面を有している。脈拍検出器の主クリップ片３ａの先端部は、脈拍検出器当接部３２ｃにより位置決めされる。
【００３３】
図５（ｂ）において、４１はバンド、４１ａはバンド根元部、７はブッシュである。４２はハウジング、４２ａはスピーカユニット収容部、４２ｂは延在部、４２ｃは脈拍検出器当接部、４２ｄは音響放射面である。
この具体例では、バンド根元部４１ａが延在部４２ｂの前面（音響放射面４２ｄ側）に垂直な法線の角度で、前方にＵ字状に突き出ている。
脈拍検出器３は、バンド根元部４１ａ（取付部）を挟み込むことにより、ハウジング４２と一体化されて挟圧保持される。脈拍検出器３の主クリップ片３ａの先端部と副クリップ片３ｂの先端部とは、いずれも、延在部４２ｂの前方の脈拍検出器当接部４２ｃにより位置決めされる。
【００３４】
図５（ｃ）において、５１はバンド、５１ａはバンド根元部（取付部）、７はブッシュである。５２はハウジング、５２ａはスピーカユニット収容部、５２ｂは延在部、５２ｃは脈拍検出器当接部、５２ｄは音響放射面である。
この具体例では、バンド根元部５１ａが延在部５２ｂの前面（音響放射面５２ｄ側）の法線に対し右に−３０度の角度で、前方にＵ字状に突き出ている。
脈拍検出器３は、バンド根元部５１ａを挟み込むことにより、ハウジング５２と一体化されて挟圧保持される。この脈拍検出器当接部５２ｃは、延在部５２ｂの前面から右に−３０度で起こした傾斜面を有している。脈拍検出器３の副クリップ片３ｂの先端部は、脈拍検出器当接部５２ｃにより位置決めされる。
【００３５】
上述したように、脈拍検出器３がバンド根元部に結合される角度は、延在部の前面に対し垂直である必要はなく、使用者の顔に当たったり、顔から離れて風圧で揺れたりしにくい範囲であればよい。
そのため、図５（ａ）〜図５（ｃ）に示したように、延在部の前面に垂直な法線を０度として左右に±３０度以内の範囲の角度で結合されることが望ましい。
【００３６】
上述した図５（ａ），図５（ｃ）においては、脈拍検出器３とハウジング３２，４２，５２とが、脈拍検出器当接部３２ｃ，５２ｃにおいて段差を有していたが、なめらかに連続するように、ハウジング部３２，５２の外形状を設計してもよい。図１に示した脈拍検出器３と同様に、主クリップ片３ａ及び副クリップ片３ｂの横幅は、各ハウジング３２，４２，５２の上下幅と等しくなるように設計するとよい。
図５（ａ）〜図５（ｃ）に示したバンド根元部３１ａ，４１ａ，５１ａは、いずれも略平行となる左右側面を有していたが、図４を参照して説明したように、バンド根元部３１ａ，４１ａ，５１ａにおいて、脈拍検出器が取り付けられる部分の左右側面の間隔を、ハウジング３２，４２，５２から前方に広がる形状にし、かつ、これに適合した、図４に示したような脈拍検出器２７を用いるようにしてもよい。
【００３７】
上述した説明では、脈拍検出をしないとき、脈拍検出器３はバンド根元部を取付部としてここを挟み込むようにした。これに代えて、ハウジング２側の一部、例えば、延在部２ｂの先端部を取付部として、この取付部を挟むようにしてもよい。
図５（ｄ）において、６１はバンド、６１ａはバンド根元部（取付部）、７はブッシュである。６２はハウジング、６２ａはスピーカユニット収容部、６２ｂは延在部、６２ｃは脈拍検出器当接部、６２ｄは音響放射面である。
【００３８】
この具体例では、延在部６２ｂの前面（音響放射面６２ｄ側）の法線の角度で、バンド根元部６１ａが前方にＵ字状に突き出ている。
脈拍検出器３は、延在部６２ｂの端部を挟み込むことにより、ハウジング６２と一体化され挟圧保持される。従って、延在部６２ｂの延長上に脈拍検出器３が取り付けられることになる。
【００３９】
図示の例では、延在部６２ｂの端部の幅が、脈拍検出器３の先端開口部３ｄの開口幅に比べて大きいため、延在部６２ｂの端部が切り欠かれている。この切り欠きに嵌るように、脈拍検出器の主クリップ部３ａの先端部が脈拍検出器当接部６２ｃに当接する。
また、図示の例では、このとき、副クリップ片３ｂの先端部はバンド根元部６１ａの平面状の左側面に当接する。
上述した図５（ｄ）においては、延在部６２ｂの端部が、略平行となる前後の側面を有している。これに代えて、前後の側面の間隔が、切り欠きの付け根から離れる方向（図示、左側）に広がる形状としてもよい。例えば、前後の側面のなす角を２０度、又はこれ以下とする。
【００４０】
図５（ａ）〜図５（ｄ）において、図１に示した脈拍検出器３と同様に、主クリップ片３ａ及び副クリップ片３ｂの横幅は、ハウジング３２，４２，５２，６２の上下幅と等しくなるように設計するとよい。
図４，図５に示した具体例は、いずれも、脈拍検出器３が設けられている左耳（位置１２）側のハウジング３及びバンド根元部３１ａ〜６１ａの構造であった。
一方、右耳（位置１３）側におけるハウジング及びバンド根元部の構造は、図４，図５に示した左耳（位置１２）側と全く同じ構成にする必要はないから、図１〜図３に示したものと同じ構造でもよい。
【００４１】
上述した説明では、ヘッドフォンの基本構造として、バーチカル・イン・ザ・イヤー形式のものを例として説明した。
しかし、脈拍検出器をその不使用時に挟み込んで挟圧保持できる取付部を設けることが可能なものであれば、他の基本構造を前提としたヘッドフォンであってもよい。
その際、取付部が略平行な２平面を有するようにすれば、ユーザがクリップ片を摘んで、このクリップ片で取付部を挟んで挟圧保持させたり、このクリップ片を取付部から取り外したりする操作がやりやすくなる。また、挟圧保持時に脈拍検出器の先端部の少なくとも一部が当接する当接面を有するようにすれば、位置決めされるのでクリップ片を保持しやすくなる。
【図面の簡単な説明】
【００４２】
【図１】本発明の実施の一形態を示す説明図である。
【図２】脈拍検出器を左耳のバンド根元部に取り付けた状態、及び、バンド根元部から取り外した状態を説明するための拡大斜視図である。
【図３】図１に示したハウジング及び脈拍検出器の内部構成の概要を示す説明図である。
【図４】図１〜図３に示したハウジング及びバンド根元部の形状を変更した具体例の説明図である。
【図５】図１〜図３に示したハウジング及びバンド根元部の形状を変更した他の具体例の説明図である。
【符号の説明】
【００４３】
１…バンド、１ａ…バンド根元部、２…ハウジング、２ａ…スピーカユニット収容部、２ｂ…延在部、２ｃ…脈拍検出器当接部、２ｄ…音響放射面、３，２７…脈拍検出器、３ａ，２７ａ…主クリップ片、３ｂ，２７ｂ…副クリップ片、３ｃ，２７ｃ…軸、３ｄ，２７ｄ…先端開口部、７，８…ブッシュ、１２…左耳位置、１２ａ…耳甲介腔位置、１２ｂ…外耳道位置、１２ｃ…耳珠位置、１２ｄ…対珠位置、１３…右耳位置、
２２…ねじりコイルバネ、２３…発光素子、２４…受光素子、
２５，３１，４１，５１，６１…バンド、２５ａ，３１ａ，４１ａ，５１ａ，６１ａ…バンド根元部、２６，３２，４２，５２，６２…ハウジング、２６ａ，３２ａ，４２ａ，５２ａ，６２ａ…スピーカユニット収容部、２６ｂ，３２ｂ，４２ｂ，５２ｂ，６２ｂ…延在部、２６ｃ，３２ｃ，５２ｃ，６２ｃ…脈拍検出器当接部、２６ｄ，３２ｄ，４２ｄ，５２ｄ，６２ｄ…音響放射面
【図１】
2008161429.tif 000003
【図２】
2008161429.tif 000004
【図３】
2008161429.tif 000005
【図４】
2008161429.tif 000006
【図５】
2008161429.tif 000007